(57)【要約】【課題】映像、音声機器で出力信号れべるを調整するのにオシロスコープなどの専用の計測器が必要であり、生産ラインの設備の負担となっていることを解決し、計測器なしで自らで調整できることを目的とする。【解決手段】デジタルＶＴＲなどの電子機器の出力信号レベルを、従来のようにオシロスコープなどのような専用の計測器を用いず、短絡スイッチ１０及びマイコン９を用いて調整を行うようにしたことにより、従来に比べて調整設備のコストダウンを図ることができ、また調整作業を機械化することで精度の信頼性も向上することができる。【選択図】　図１
2004023704.tif 000002
【特許請求の範囲】
【請求項１】
出力信号レベルを調整可能な調整モードを有する電子装置であって、外部に出力する信号を発生する信号発生手段と、前記信号発生手段で発生した信号の利得を調整する利得調整手段と、前記利得調整手段で利得調整された信号を外部へ出力するとともに外部から信号を入力する端子手段と、前記端子から入力された信号のレベルを判定し前記利得調整手段の利得調整を制御する制御手段と、前記利得調整手段から出力される信号を前記制御手段へ選択的に入力する切り替え手段とを備え、
本装置が調整モードに移行すると、前記切り替え手段がオンになり、前記利得調整手段からの信号を前記制御手段に入力し、前記制御手段は、前記利得調整手段を制御して、前記信号発生手段からの信号レベルが所定値になるように制御することを特徴とする電子装置。
【発明の詳細な説明】
【０００１】
【発明の属する技術分野】
本発明は、出力信号レベルの調整が可能な電子装置に関するものである。
【０００２】
【従来の技術】
近年、電子装置はコストダウンを目的とした生産性の向上の取り組みがなされている。電子装置では、アナログ信号を出力するものが多く、その出力レベルは計測器を用いて計測し目的の大きさになるように調整されている。
【０００３】
以下に従来の電子装置について説明する。
【０００４】
図３は従来の電子装置におけるレベル電子装置の構成を示すものである。図３において、１は電子装置において映像信号や音声信号などを発生する信号発生部で、例えばデジタルＶＴＲにおいては、テープカセットなどの記録媒体を再生し映像音声信号を発生させるものに相当する。２は信号発生部１からの信号の利得を制御するゲインコントロールアンプ、３はゲインコントロールアンプ２からの信号を増幅する出力アンプ、４は出力アンプ３からの信号を外部へ出力可能な出力端子で、信号を伝達可能なケーブルを接続可能としており、例えばデジタルＶＴＲにおいては、映像出力端子やＳ映像端子などに相当する。５は出力端子４に接続可能なオシロスコープなどの計測器で、出力端子４から出力される信号の波形を表示する。２０は調整者により調整可能な調整素子で、調整することでゲインコントロールアンプ２の利得を調整可能となっている。６は外部からケーブルなどを介して信号が入力される入力端子で、入力される信号は映像信号や音声信号などがある。入力端子６は、例えばデジタルＶＴＲにおいては、映像入力端子や音声入力端子に相当する。７は入力端子６から入力されるアナログ信号をデジタル信号に変換するアナログ／デジタル変換部（以下、Ａ／Ｄ変換部と記す）、８はＡ／Ｄ変換部７からのデジタル信号に各種信号処理を施す入力信号処理部で、例えばデジタルＶＴＲの場合、ノイズ除去や圧縮処理などを介して記録媒体に記録する構成に相当する。３０は計測器５を除く上記構成を内包した電子機器であり、例えばデジタルＶＴＲに相当する。
【０００５】
以上のように構成された従来の電子装置について、以下その動作について、デジタルＶＴＲを一例として説明をする。
【０００６】
まず、デジタルＶＴＲからなる電子機器３０に設けられた出力端子４に、オシロスコープなどの計測器５を接続する。この出力端子４は、デジタルＶＴＲなどの機器であれば、通常備わっている映像出力端子や音声出力端子に相当するものである。
【０００７】
次に、信号発生部１で、再生信号などの調整に必要な信号を出力している状態にする。この信号は、例えばデジタルＶＴＲの場合、デジタルＶＴＲに装填されたテープカセットを再生状態にすることで出力される映像信号や音声信号のことである。一般にデジタルＶＴＲの信号調整の場合は、調整用の映像音声信号が記録された調整用テープなるものを用いることが多い。
【０００８】
信号発生部１から出力された信号は、ゲインコントロールアンプ２を介して出力アンプ３に入力される。ここで、調整開始直後はゲインコントロールアンプ２は動作せず、入力される信号をそのまま出力している。
【０００９】
出力アンプ３では、入力された信号を増幅してインピーダンス変換し、出力端子部４から計測器５へ出力される。
【００１０】
計測器５では、入力される信号の波形が表示されるので、調整者は表示される信号波形の大きさを見ながら、その大きさが目的の大きさ（規格値など）になるように、ボリューム２０を操作する。ボリューム２０が操作されると、ゲインコントロールアンプ２において利得が調整され、所望の信号レベルを有した信号に調整することが可能となる。
【００１１】
一般に、デジタルＶＴＲでは、製品毎に出力信号レベルのバラツキを無くし、一定の出力値を有する信号を出力するように調整しなけらばならないわけであるが、上記のように調整することで、製品毎の出力信号レベルのバラツキを無くすようにしている。
【００１２】
【発明が解決しようとする課題】
しかしながら上記の従来の構成では、オシロスコープなどの専用の計測器が必要であり生産ラインの設備においてコストアップになってしまうという問題点があった。また、調整者が計測器５の波形を見ながら調整素子２０を操作する構成としたので、調整が煩雑で時間がかかる上に、精度的にも信頼性が得られにくいという問題点があった。
【００１３】
本発明は上記従来の問題点を解決するもので、専用の計測器なしで出力の大きさを調整できる電子装置を提供することを目的とする。
【００１４】
【課題を解決するための手段】
この問題を解決するために本発明の電子装置は、出力信号レベルを調整可能な調整モードを有する電子装置であって、外部に出力する信号を発生する信号発生手段と、前記信号発生手段で発生した信号の利得を調整する利得調整手段と、前記利得調整手段で利得調整された信号を外部へ出力するとともに外部から信号を入力する端子と、前記端子から入力された信号のレベルを判定し前記利得調整手段の利得調整を制御する制御手段と、前記利得調整手段から出力される信号を前記制御手段へ選択的に入力する切り替え手段とを備え、
本装置が調整モードに移行すると、前記切り替え手段がオンになり、前記利得調整手段からの信号を前記制御手段に入力し、前記制御手段は、前記利得調整手段を制御して、前記信号発生手段からの信号レベルが所定値になるように制御する構成を有している。
【００１５】
この構成によって出力信号を自らの入力部でレベル測定し出力信号レベルを調整できるという効果が得られる。
【００１６】
【発明の実施の形態】
本発明の請求項１に記載の発明は、出力信号レベルを調整可能な調整モードを有する電子装置であって、外部に出力する信号を発生する信号発生手段と、前記信号発生手段で発生した信号の利得を調整する利得調整手段と、前記利得調整手段で利得調整された信号を外部へ出力するとともに外部から信号を入力する端子と、前記端子から入力された信号のレベルを判定し前記利得調整手段の利得調整を制御する制御手段と、前記利得調整手段から出力される信号を前記制御手段へ選択的に入力する切り替え手段とを備え、本装置が調整モードに移行すると、前記切り替え手段がオンになり、前記利得調整手段からの信号を前記制御手段に入力し、前記制御手段は、前記利得調整手段を制御して、前記信号発生手段からの信号レベルが所定値になるように制御するものであり、これにより、専用の計測器なしで出力の大きさを調整できる電子装置を提供することができる。
【００１７】
以下、本発明の実施の形態を図面を用いて説明する。
【００１８】
（実施の形態１）
図１は本発明の実施の形態の電子装置の構成を示すブロック図である。図２はアナログ映像信号の信号波形を示す波形図であり、同図（ａ）は１Ｖｐ−ｐの映像信号の波形図、同図（ｂ）が本装置による調整前の映像信号（０．５Ｖｐ−ｐ）の波形図である。
【００１９】
図１において、１は電子装置において映像信号や音声信号などを発生する信号発生手段である信号発生部で、例えばデジタルＶＴＲにおいては、テープカセットなどの記録媒体を再生し映像音声信号を発生させるものに相当する。なお、再生するテープカセットは、任意に映像信号を記録したものでもよいが、正確に調整を行うために、ＥＩＡＪ規格などで決められている調整用テープを使用する方が好ましい。ＥＩＡＪ規格で決められている調整用テープは、映像信号のｐ−ｐが１Ｖの映像信号が記録されている。その映像信号の波形を図２（ａ）に示す。２は信号発生部１からの信号の利得を制御するゲインコントロールアンプ、３はゲインコントロールアンプ２からの信号を増幅する出力アンプで、ゲインコントロールアンプ２と出力アンプ３とで利得制御手段を構成している。４は出力アンプ３からの信号を外部へ出力可能な出力端子で、信号を伝達可能なケーブルを接続可能としており、例えばデジタルＶＴＲにおいては、映像出力端子やＳ映像端子などに相当する。上記信号発生部１とゲインコントロールアンプ２と出力アンプ３とで、出力系統を構成している。
【００２０】
６は外部からケーブルなどを介して信号が入力される入力端子で、入力される信号は映像信号や音声信号などがある。入力端子６は、例えばデジタルＶＴＲにおいては、映像入力端子や音声入力端子に相当する。また、本実施の形態では入力端子６と出力端子４とを各々独立した端子としたが、一端子で構成してもよく、いずれの端子構成を含む表現として端子手段と定義する。７は出力アンプ３（短絡スイッチ１０がオン時）や入力端子６からのアナログ信号をデジタル信号に変換するアナログ／デジタル変換部（以下、Ａ／Ｄ変換部と記す）で、本実施の形態ではデジタルＶＴＲとして説明を行ったためＡ／Ｄ変換部７を備えたが、アナログの機器（アナログＶＴＲなど）であれば、Ａ／Ｄ変換部７は必ずしも必要ではない。８はＡ／Ｄ変換部７からのデジタル信号に各種信号処理を施す入力信号処理部で、例えばデジタルＶＴＲの場合、ノイズ除去や圧縮処理などを介して記録媒体に記録する構成に相当する。９はＡ／Ｄ変換部７からのデジタル信号の信号レベルに基づきゲインコントロールアンプ２の利得を制御する制御手段であるマイクロコンピュ−タ（以下、マイコンと記す）であり、マイコン９には調整モードトリガ１１が印可可能な専用端子が設けられている。１０はオンになることで出力アンプ３からの信号を入力系統であるＡ／Ｄ変換部７へ選択的に入力可能な切り替え手段である短絡スイッチで、機械的なスイッチでもよく、出力端子４及び入力端子６を駆動するドライバ回路（図示せず）に対してオン／オフの切り替えを行う電気的スイッチでもよい。１１は調整モードに移行するために入力される調整トリガ信号であり、マイクロコンピュータ９及び短絡スイッチ１０を制御している。調整トリガ信号が入力されると、短絡スイッチ１０はオフからオンになり、マイクロコンピュータ９は調整モードに移行する。調整モードトリガ３０は上記構成を内包した電子機器であり、本実施の形態ではデジタルＶＴＲとしたが、これに限定されるものではない。上記Ａ／Ｄ変換部７と入力信号処理部８とで、入力系統を構成している。そして、短絡スイッチ１０は、オンになることで出力系統と入力系統とを短絡する。
【００２１】
以上のように構成された本実施の形態の電子装置について、図面を用いて動作を説明する。
【００２２】
まず、通常動作（調整モードではない状態）について説明する。
【００２３】
デジタルＶＴＲなどで構成される電子機器３０には、通常出力端子４と入力端子６とが設けられている。出力端子４はデジタルＶＴＲの場合、映像出力端子やＳ映像端子などに相当するものであり、入力端子６は映像入力端子や音声入力端子に相当するものである。
【００２４】
テープカセットに記録された映像音声信号を外部に出力する時は、まず、出力端子４に映像ケーブルなどのケーブルを接続し、そのケーブルの他端に被出力装置（例えば、テレビジョン受像器や他のデジタルＶＴＲなど）を接続する。任意に映像音声信号が記録されたテープカセットを電子機器３０に装填し、信号発生部１において、テープカセットに記録された映像音声信号を再生するモードにする。再生された映像音声信号は、ゲインコントロールアンプ２を介して出力アンプ３に入力され、所定量増幅された後インピーダンス変換されて、出力端子４から外部へ出力される。
【００２５】
一方、他の電子機器から映像音声信号を入力する場合は、入力端子６に映像ケーブルなどの所定のケーブルを接続し、信号が電子機器３０に入力可能な状態にする。例えば、他の電子機器として、デジタルＶＴＲを接続して映像音声信号を電子機器３０へ転送する場合では、デジタルＶＴＲから映像音声信号を出力することで、入力端子６に映像音声信号が入力され、Ａ／Ｄ変換部７でデジタル信号に変換される。デジタル信号に変換された信号は、入力信号処理部８で各種信号処理を施された後、記録手段（図示せず）によって記録媒体に、入力された信号を記録する。
【００２６】
次に、出力信号レベルの調整について説明する。
【００２７】
まず、調整モードトリガ１１を、短絡スイッチ１０とマイコン９に入力する。すると、短絡スイッチ１０はオフ状態からオン状態となり、出力系統と入力系統とを短絡する。またマイコン９は、調整モードへと移行する。
【００２８】
本実施の形態では、調整モードトリガ１１は、別途設けられたコンピュータにより自動的に入力されるものとした。前記コンピュータは、電子機器３０の生産ラインに通常に用いられる汎用コンピュータであって、調整用の専用コンピュータではない。また、調整モードトリガ１１を電子機器３０内に印可する方法は、電子機器３０の生産ライン上で、電子機器３０の筐体が開き内部が露出した状態で、コンピュータに接続された端子を短絡スイッチ１０及びマイコン９の端子に接触させることで、調整モードトリガを印可することができる。また、調整モードトリガ１１は、本装置が調整モードになっている期間、オンする構成とし、オンにする期間は、コンピュータで一定時間オンにするよう時間管理によって行う構成とした。
【００２９】
なお、本実施の形態では調整モードトリガ１１をコンピュータによるものとしたが、別途スイッチを設けて調整者がこのスイッチをオンにすることで、調整モードトリガ１１が発生する構成としてもよい。
【００３０】
信号発生部１で、再生信号などの調整に必要な信号を出力している状態にする。この信号は、例えばデジタルＶＴＲの場合、デジタルＶＴＲに装填されたテープカセットを再生状態にすることで出力される映像信号や音声信号のことである。一般にデジタルＶＴＲの信号調整の場合は、調整用の映像音声信号が記録された調整用テープなるものを用いることが多い。調整用テープは、ＥＩＡＪ規格などで決められた信号を記録したテープであって、本実施の形態の場合は図２（ａ）に示すような１Ｖｐ−ｐの映像信号が記録されている。
【００３１】
信号発生部１から出力された信号は、ゲインコントロールアンプ２を介して出力アンプ３に入力される。ここで、調整開始直後はゲインコントロールアンプ２は動作せず、入力される信号をそのまま出力している。出力アンプ３では、入力された信号を増幅してインピーダンス変換し、出力端子部４と短絡スイッチ１０へ出力される。ここで出力アンプ３から出力される映像信号は、まだレベル調整されていない状態なので、図２（ｂ）のように０．５Ｖｐ−ｐの信号が出力される。
【００３２】
前述の調整モードトリガ１１により短絡スイッチ１０はオンとなっているので、出力アンプ３からの信号（未調整信号）は、Ａ／Ｄ変換部７に入力され、Ａ／Ｄ変換部７でデジタル変換され、マイコン９に出力する。マイコン９では、入力されるデジタル映像信号のｐ−ｐレベルを８ビットデジタル信号に演算する。図２に示すアナログ映像信号のｐ−ｐのレベルを８ビットデジタル変換すると、図２（ａ）に示す１Ｖｐ−ｐの場合は「１１１１１１１１」となり、０Ｖｐ−ｐ（無信号）の場合は「００００００００」となる。よって図２（ｂ）に示す未調整信号である０．５Ｖｐ−ｐの場合は、「１１１１１１１１」を整数変換すると「２５６」になるので、
２５６×０．５＝１２８
となり、「１２８」を８ビット２進数に変換すると「０１１１１１１１」となり、この値が０．５Ｖｐ−ｐの値となる。マイコン９はこの「０１１１１１１１」のに基づき、出力端子４に出力される信号レベルが１Ｖｐ−ｐになるように、つまり「０１１１１１１１」が「１１１１１１１１」になるように、ゲインコントロールアンプ２の利得を調整する。
【００３３】
ゲインコントロールアンプ２の調整が終わると、全ての調整作業が終了することとしてもよいが、調整結果をより正確にするには、ゲインコントロールアンプ２の調整後、再度出力アンプ３から出力される信号を、短絡スイッチ１０とＡ／Ｄ変換部７とを介してマイコン９に入力することで、マイコン９は入力される信号が１Ｖｐ−ｐの信号（つまりｐ−ｐレベルが「１１１１１１１１」となっている信号）になっていることを確認するようにしてもよい。
【００３４】
以上のように本実施の形態によれば、デジタルＶＴＲなどの電子機器の出力信号レベルを、従来のようにオシロスコープなどのような専用の計測器を用いず、短絡スイッチ１０及びマイコン９を用いて調整を行うようにしたことにより、従来に比べて調整設備のコストダウンを図ることができ、また調整作業を機械化することで精度の信頼性も向上することができる。
【００３５】
なお、前記した調整モードトリガ１１を発生するコンピュータは、調整専用の装置ではなく、電子機器の生産ラインで通常に用いられる汎用のコンピュータであるため、調整設備や生産ラインなどのコストアップにはならない。
【００３６】
なお、本実施の形態では出力端子４と入力端子６とが各々独立して設けられた構成に基づき説明をしたが、近年のデジタルビデオカメラに搭載される、入力端子と出力端子とを一端子で兼用した、いわゆる入出力端子が設けられた電子機器に用いても有効である。
【００３７】
【発明の効果】
以上のように本発明は、電子機器の出力信号レベルの電子装置をコストダウンし、かつ精度の信頼性も向上できるという優れた効果が得られる。
【図面の簡単な説明】
【図１】本発明の実施の形態における電子装置の構成を示すブロック図
【図２】（ａ）同実施の形態における１Ｖｐ−ｐの映像信号の信号波形図（ｂ）同実施の形態における０．５Ｖｐ−ｐの映像信号の信号波形図
【図３】従来の電子装置の構成を示すブロック図
【符号の説明】
１　信号発生部
２　ゲインコントロールアンプ
３　出力アンプ
４　出力端子
６　入力端子
７　Ａ／Ｄ変換部
８　入力信号処理部
９　マイクロコンピュ−タ
１０　短絡スイッチ
１１　調整モードトリガ
【図１】
2004023704.tif 000003
【図２】
2004023704.tif 000004
【図３】
2004023704.tif 000005